(57)【特許請求の範囲】
【請求項１】
ドレイン受皿と該ドレイン受皿から下方に連成された排水管部とを備えてなり、コンクリート型枠上に仮固定された打込型縦引き排水用ルーフドレインの、そのドレイン受皿を保持するものであって、
前記ドレイン受皿の下面に、下端がコンクリート型枠に当接して該ドレイン受皿を所定高さ位置に保持する支持部材を備えてなるものであり、
支持部材を、上下方向の螺子杆と、該螺子杆の下端が進退可能に螺入される雌螺子孔を備えた螺子筒とによって構成し、雌螺子孔に螺入した螺子杆の螺進作用を介して支持部材を長さ調整可能とすると共に、螺子筒の下端に、コンクリート型枠との当接面積を拡大するフランジ部を備え、
かつ螺子筒の雌螺子孔に下方から螺入若しくは嵌入されて該雌螺子孔を塞ぐボス部を備えてなるキャップ体を配設したことを特徴とする打込型縦引き排水用ルーフドレインのドレイン受皿保持装置。
【発明の詳細な説明】
【０００１】
【発明の属する技術分野】
本発明は、コンクリート型枠に仮固定された打込型縦引き排水用ルーフドレインのドレイン受皿を、その仮固定後からコンクリートが打設されて固結するまでの間、移動不能に保持するためのドレイン受皿保持装置に関する。
【０００２】
【従来の技術】
打込型縦引き排水用ルーフドレインは、ドレイン受皿と該ドレイン受皿から下方に連成された排水管部とを備えたドレイン本体を、仮固定装置によってコンクリート型枠上に仮固定した状態で、周囲にコンクリートを打設することにより形成される屋上やバルコニー等の露天床面に、その形成と同時に設置される。
【０００３】
かかる施工に際して用いられる打込型縦引き排水用ルーフドレインの仮固定装置ａは、図８に示すように、水平状に配設されたコンクリート型枠ｋに固定される位置決め盤ｂと、ドレイン受皿ｈと該ドレイン受皿ｈから下方に連成された排水管部ｊとからなるドレイン本体ｇの、その排水管部ｊに上端が外嵌され、かつ下端が前記位置決め盤ｂに嵌合されて、ドレイン本体ｇを前記コンクリート型枠ｋ上に所要間隔で保持する筒状スペーサｃと、前記ドレイン受皿ｈの内底面上に乗載される挟圧板ｄをコンクリート型枠ｋ側に押圧して、前記筒状スペーサｃとでドレイン受皿ｈを挟持する螺子杆ｅと蝶ナットｆとからなる挟持手段とにより構成されている。
【０００４】
そして、かかる仮固定装置ａによってドレイン本体ｇを仮固定した状態で、該ドレイン本体ｇの周囲にコンクリートを打設して固結させることにより、その固結したコンクリートの表層部分にドレイン本体ｇを埋設するようにしている。
【０００５】
【発明が解決しようとする課題】
ところで、特に図８で示すように、ドレイン受皿ｈに側方に突出する突出皿部ｍを備えた縦引き排水用ルーフドレインにあっては、上述の仮固定装置ａによってドレイン本体ｇをコンクリート型枠ｋ上に仮固定した状態において、例えば、現場作業員が不注意で突出皿部ｍを踏んだり、物を落下させて突出皿部ｍに当てたりして、該突出皿部ｍに下方向の衝撃力が加えられると、該突出皿部ｍ側に近い筒状スペーサｃの上端部ｎを支点としてドレイン受皿ｈの反対側を持ち上げて傾斜させる力が作用するため、図９に示すように、挟圧板ｄと蝶ナットｆを介してドレイン受皿ｈを下方に押圧する螺子杆ｅの下端が連結されている位置決め盤ｂの連結部分ｐが、上方に膨出するように変形することにより押圧力が減少し、ドレイン受皿ｈが側方にずれ易い状態となる。ここで、ドレイン受皿ｈの下面には、筒状スペーサｃの上端と係合してドレイン受皿ｈを位置決めする環状部ｒが下方突成されているため、ドレイン受皿ｈが衝撃によって側方にずれると、該環状部ｒが筒状スペーサｃの上端の一部に乗り上げることとなり、図９に示すように、ドレイン受皿ｈが傾いてしまう。
【０００６】
また、ドレイン受皿ｈに足をぶつけたり、物を当てたりして、該ドレイン受皿ｈの側部に中央方向への略水平な衝撃力が加えられた場合には、前記環状部ｒが筒状スペーサｃの上端の一部に乗り上がってドレイン受皿ｈが傾斜する動作が生じるとともに、この動作に伴って螺子杆ｅを上方に持ち上げる力が作用して、位置決め盤ｂの連結部分ｐが上方に膨出変形することにより、この場合にも上記と同様に図９で示すように、ドレイン受皿ｈが傾いてしまう。尚、図９は、突出皿部ｍと反対側のドレイン受皿ｈの側部に中央方向への衝撃力が加えられた場合に生ずるドレイン受皿ｈの傾きを示している。そして、このような傾きが生じたままで、これに気づかずにコンクリートを打設すると、その固結後の修正が極めて困難になるという問題点があった。
【０００７】
本発明は、かかる従来の問題点を解消し得る打込型縦引き排水用ルーフドレインのドレイン受皿保持装置を提供することを目的とするものである。
【０００８】
【課題を解決するための手段】
本発明は、ドレイン受皿と該ドレイン受皿から下方に連成された排水管部とを備えてなり、コンクリート型枠上に仮固定された打込型縦引き排水用ルーフドレインの、そのドレイン受皿を保持するものであって、前記ドレイン受皿の下面に、下端がコンクリート型枠に当接して該ドレイン受皿を所定高さ位置に保持する支持部材を備えてなることを特徴とする打込型縦引き排水用ルーフドレインのドレイン受皿保持装置である。
【０００９】
かかる構成にあっては、ドレイン受皿の下面に備えた支持部材によって、該ドレイン受皿を所定高さ位置に保持し得るので、コンクリート型枠に仮固定された状態にある打込型縦引き排水用ルーフドレインのドレイン受皿に何らかの衝撃力が加えられても、前記支持部材の保持作用によって、ドレイン受皿の傾斜に起因する位置決め盤ｂの連結部分ｐの上方への膨出変形（図９参照）が防止され、従来のようにドレイン受皿ｈの環状部ｒが筒状スペーサｃの上端の一部に乗り上げることによって生じるドレイン受皿の傾きを防止することができる。
【００１０】
ここで、打込型縦引き排水用ルーフドレインが、ドレイン受皿に側方に突出する突出皿部を備えたものであって、該突出皿部の下面に支持部材を配設する構成が特に有効である。即ち、このようにドレイン受皿に側方に突出する突出皿部を備えたものにあっては、該突出皿部を踏み易く、また、該突出皿部を踏むと、筒状スペーサｃの上端部ｎ（図９参照）を支点とする「てこの原理」でその力が増加して、位置決め盤ｂの連結部分ｐの上方への膨出変形が生じ易いものであるため、かかる突出皿部の下面に支持部材を配設して、その高さ位置を保持させることにより、ドレイン受皿の傾きを確実に防止することが可能となる。
【００１１】
また、前記支持部材を、上下方向の螺子杆と、該螺子杆の下端が進退可能に螺入される雌螺子孔を備えた螺子筒とによって構成し、雌螺子孔に螺入した螺子杆の螺進作用を介して支持部材を長さ調整可能としたものが提案され得る。このように構成された支持部材を用いることにより、仮固定位置で仮固定されたドレイン受皿の高さに応じて、支持部材の長さ調整及びその微調整を容易に行うことができる。
【００１２】
また、前記支持部材を構成する螺子杆の上端を、ドレイン受皿の下面に螺着することにより、該支持部材をドレイン受皿に固定するようにしてもよい。ここで、打込型縦引き排水用ルーフドレインにあっては、Ｌ形に曲成されたアンカーｓ（図８，図１０参照）を螺着するための複数の螺子孔が、ドレイン受皿の下面の所定位置に予め形成されているので、該螺子孔に螺子杆の上端を螺着すれば、ドレイン受皿に螺子孔加工を別途施すことなく、支持部材を簡単に取り付けることができる。また、製品出荷時においては、前記支持部材をドレイン受皿から取り外した状態で梱包し得るので、嵩張ることがなく、さらに、施工後においては、硬化したコンクリート内でアンカー作用を得ることができる。
【００１３】
さらに、螺子筒の下端に、コンクリート型枠との当接面積を拡大するフランジ部を備え、かつ螺子筒の雌螺子孔に下方から螺入若しくは嵌入されて該雌螺子孔を塞ぐボス部を備えてなるキャップ体を配設するようにしてもよい。かかる構成にあっては、支持部材によってドレイン受皿を所定高さ位置に保持した状態において、キャップ体のフランジ部によって、該支持部材の直立安定性を向上させることができる一方、硬化したコンクリートから型枠を取り外した時に、雌螺子孔の下部を塞ぐキャップ体のボス部によって、該雌螺子孔からの錆汁の漏出を防止することができる。
【００１４】
【発明の実施の形態】
以下に、本発明の一実施例を、図１〜図５について説明する。
打込型縦引き排水用ルーフドレイン１は、屋上やバルコニー等の露天床面の表層部分に設置されるものであって、該打込型縦引き排水用ルーフドレイン１のドレイン本体２は、ドレイン受皿３と、該ドレイン受皿３から下方に連成された排水管部４とを備えてなる。ここで、本実施例は、ドレイン受皿３に側方に突出する突出皿部５を備えた打込型縦引き排水用ルーフドレイン１に対して本発明を適用した場合を示すものである。
【００１５】
上記打込型縦引き排水用ルーフドレイン１は、コンクリートの打設前に仮固定装置７によってコンクリート型枠６の所定位置に仮固定される。該仮固定装置７は、円形の位置決め盤８を備えており、該位置決め盤８は、水平状に配設された前記コンクリート型枠６の所定位置に釘９等によって固定される。該位置決め盤８には、前記ドレイン本体２の排水管部４を囲繞する筒状スペーサ１０の下端が嵌合され、該筒状スペーサ１０の上端は、ドレイン受皿３の下面に下方突成された、ドレイン受皿３を位置決めするための環状部１１の内周面に略密嵌状に係合される。そして、このように筒状スペーサ１０をドレイン受皿３とコンクリート型枠６との間に介装させることにより、ドレイン本体２をコンクリート型枠６上に所要間隔で支持するようにしている。
【００１６】
前記位置決め盤８の中央部には雌螺子部１２が設けられ、該雌螺子部１２に下端を螺合することにより螺子杆１３が略垂直に植設されている。また、前記ドレイン受皿３の内底面には、排水管部４に連通する開口部４’を跨いで挟圧板１４が差し渡されており、該挟圧板１４の中央に形成した透孔に前記螺子杆１３を挿通させて、その突出端側に蝶ナット１５を螺着して緊締することにより、挟圧板１４をコンクリート型枠６側に押圧し、該挟圧板１４と前記筒状スペーサ１０の上端とでドレイン受皿３を挟持することによって、ドレイン本体２を仮固定するようにしている。そして、この螺子杆１３及び蝶ナット１５を、挟圧板１４をコンクリート型枠６側に押圧して、筒状スペーサ１０とでドレイン受皿３を挟持する挟持手段としている。
【００１７】
次に、本発明の要部であるドレイン受皿保持装置１６について説明する。該ドレイン受皿保持装置１６は、前記ドレイン受皿３に側方突成されている突出皿部５の下面の左右両側に、下端が前記コンクリート型枠６に当接して該ドレイン受皿３の突出皿部５を所定高さ位置に保持する支持部材１７，１７を備えている。
【００１８】
両支持部材１７，１７は、図４に示すように、上下方向の螺子杆１８と、軸線に沿う雌螺子孔１９を備えた螺子筒２０とからなり、該螺子筒２０の雌螺子孔１９に、前記螺子杆１８の下端を進退可能に螺入することにより、その螺進作用を介して長さ調整可能となっている。これにより、各支持部材１７の長さ調整手段が構成されている。
【００１９】
そして、各支持部材１７を構成する螺子杆１８の上端を、突出皿部５の下面に螺着することにより、該支持部材１７をドレイン受皿３に固定するようにしている。ここで、打込型縦引き排水用ルーフドレイン１にあっては、図３に示すように、Ｌ形に屈成されたアンカーｓ（図８，図１０参照）を螺着するための螺子孔２６，２６が、ドレイン受皿３の突出皿部５の下面の左右両側に予め形成されているので、該螺子孔２６，２６に螺子杆１８の上端を螺着すれば、ドレイン受皿３に螺子孔加工を別途施すことなく、支持部材１７を簡単に取り付けることができる。
【００２０】
また、螺子筒２０の下端には、雌螺子孔１９を塞ぐキャップ体２１が配設されている。該キャップ体２１は、コンクリート型枠６との当接面積を拡大する円形のフランジ部２２と、該フランジ部２２の上面に突成されたボス部２３とからなり、図５イに示すように、該ボス部２３の外周には雄螺子２４が刻設されている。そして、該雄螺子２４を雌螺子孔１９に螺入することによって、キャップ体２１を螺子筒２０の下端に取り付けるようにしている。尚、キャップ体２１の取付手段としては、このような螺入式に代えて、図５ロに示すように、ボス部２３の外周に複数の抜止め段部２５を形成し、該ボス部２３を雌螺子孔１９に強制嵌入してキャップ体２１に取り付ける嵌入式としてもよい。
【００２１】
かかる構成にあって、図１，図３に示すように、打込型縦引き排水用ルーフドレイン１を、コンクリートの打設前に仮固定装置７によってコンクリート型枠６の所定位置に仮固定するとともに、ドレイン受皿３の突出皿部５の下面に支持部材１７，１７の上端を螺着し、その長さ調整操作を介して該支持部材１７，１７の下端をコンクリート型枠６に当接させて、ドレイン受皿３の突出皿部５を所定高さ位置に保持することにより、ドレイン受皿３に何らかの衝撃力が加えられても、前記支持部材１７，１７の保持作用によって、ドレイン受皿３の傾斜に起因する位置決め盤８の連結部分ｐの上方への膨出変形（図９参照）が防止され、ドレイン受皿３の環状部１１が筒状スペーサ１０の上端の一部に乗り上げることによって生じるドレイン受皿３の傾きを防止することができる。
【００２２】
ここで、特に打込型縦引き排水用ルーフドレイン１が、ドレイン受皿３に側方に突出する突出皿部５を備えたものにあっては、該突出皿部５を踏み易く、また、該突出皿部５を踏むと、筒状スペーサ１０の突出皿部５側に位置する上端部ｎを支点とする「てこの原理」でその力が増加して、位置決め盤８の連結部分ｐの上方への膨出変形が生じ易いのであるが、該突出皿部５の下面に配設された支持部材１７，１７によってその高さ位置が保持されるので、ドレイン受皿３の傾きを確実に防止することが可能となる。
【００２３】
また、前記支持部材１７，１７の長さ調整手段が、上下方向の螺子杆１８と、該螺子杆１８の下端が進退可能に螺入される雌螺子孔１９を備えた螺子筒２０とによって構成されていることにより、仮固定位置７で仮固定されたドレイン受皿３の高さに応じて、支持部材１７，１７の長さ調整及びその微調整を容易に行うことができる。また、螺子筒２０の下端に配設されたキャップ体２１のフランジ部２２によって、該支持部材１７，１７の直立安定性を向上させることができる。
【００２４】
また、ドレイン受皿３上に図示しない養生蓋を被着した状態でコンクリートが打設される。そして、その硬化後に、コンクリート型枠６を取り外す時に、雌螺子孔１９内で錆汁が発生していても、該雌螺子孔１９の下部がキャップ体２１のボス部２３によって塞がれていることにより、該雌螺子孔１９からの錆汁の漏出を防止することができる。また、施工後においては、支持部材１７，１７によって、硬化したコンクリート内でのアンカー作用を得ることができる。
【００２５】
尚、上記実施例では、二本の支持部材１７，１７を用いてドレイン受皿保持装置１６を構成した場合について説明したが、これに代えて、図６に示すように、単一の支持部材１７によってドレイン受皿保持装置１６を構成することもできる。この場合には、支持部材１７を構成する螺子杆１８の上端に、略クランク形に曲成した左右に長い帯板状のフランジ板２７を溶接等によって固着し、該フランジ板２７を螺子２８，２８によってドレイン受皿３の突出皿部５の螺子孔２６，２６に固定することにより、支持部材１７がドレイン受皿３に取り付けられることとなる。
【００２６】
また、上記実施例では、支持部材１７を、螺子杆１８と螺子筒２０とによって構成し、該螺子筒２０に対する螺子杆１８の螺進作用を介して、支持部材１７を長さ調整可能としているが、これに代えて、図７に示すように、支持部材１７を所定長さの単一の螺子杆１８’によって構成することも可能である。この場合にあっても、該螺子杆１８’の上端をドレイン受皿３の螺子孔２６に螺合することにより、その螺進作用を介して支持部材１７の長さの多少の調整を行うことができる。また、該螺子杆１８’は、図示したように、その全長に亘って螺子が形成されている必要はなく、少なくとも螺子孔２６に螺合される上端部分に螺子を備えたものであればよい。さらに下端部にも螺子を備えたもの、或いは全長に亘って螺子が形成されているものを用いれば、螺子孔を形成したフランジに螺子杆１８’の下端を螺着することにより、該フランジによって支持部材１７の直立安定性を向上させることが可能となる。
【００２７】
また、上記実施例では、ドレイン受皿３の一側方に突出する突出皿部５を備えた打込型縦引き排水用ルーフドレイン１について説明したが、本発明にかかるドレイン受皿保持装置１６は、一般的な円形のドレイン受皿やドレイン受皿の両側方に突出皿部を備えた打込型縦引き排水用ルーフドレインにも適用可能である。
【００２８】
【発明の効果】
本発明は、上述したように、ドレイン受皿３の下面に、下端がコンクリート型枠６に当接して該ドレイン受皿３を所定高さ位置に保持する支持部材１７を備えてなるドレイン受皿保持装置１６であるから、ドレイン受皿３に何らかの衝撃力が加えられても、前記支持部材１７の保持作用によって、ドレイン受皿３の傾斜に起因する位置決め盤８の連結部分ｐの上方への膨出変形が防止され、ドレイン受皿３の環状部１１が筒状スペーサ１０の上端の一部に乗り上げることによって生じるドレイン受皿３の傾きを防止することができる。
【００２９】
特に打込型縦引き排水用ルーフドレイン１が、ドレイン受皿３に側方に突出する突出皿部５を備えたものにあって、該突出皿部５の下面に前記支持部材１７を配設することにより、該突出皿部５を踏むことに起因するドレイン受皿３の傾きを確実に防止することが可能となる。
【００３０】
また、前記支持部材１７を、上下方向の螺子杆１８と、該螺子杆１８の下端が進退可能に螺入される雌螺子孔１９を備えた螺子筒２０とによって構成した場合には、仮固定位置７で仮固定されたドレイン受皿３の高さに応じて、支持部材１７の長さ調整及びその微調整を容易に行うことができる。
【００３１】
また、前記支持部材１７を構成する螺子杆１８の上端を、ドレイン受皿３の下面に螺着することにより、該支持部材１７をドレイン受皿３に固定するようにしたから、該ドレイン受皿３の下面に予め形成されている螺子孔２６に螺子杆１８の上端を螺着することにより、ドレイン受皿３に螺子孔加工を別途施すことなく、支持部材１７を簡単に取り付けることができる。また、製品出荷時においては、前記支持部材１７をドレイン受皿３から取り外した状態で梱包し得るので、嵩張ることがなく、さらに、施工後においては、硬化したコンクリート内でアンカー作用を得ることができる。
【００３２】
さらに、螺子筒２０の下端に、コンクリート型枠６との当接面積を拡大するフランジ部２２を備え、かつ螺子筒２０の雌螺子孔１９に下方から螺入若しくは嵌入されて該雌螺子孔１０を塞ぐボス部２３を備えてなるキャップ体２１を配設したから、支持部材１７によってドレイン受皿３を所定高さ位置に保持した状態において、キャップ体２１のフランジ部２２によって、該支持部材１７の直立性を安定させることができる一方、硬化したコンクリートから型枠６を取り外した時に、雌螺子孔１９の下部を塞ぐキャップ体２１のボス部２３によって、該雌螺子孔１９からの錆汁の漏出を防止することができる等の優れた効果がある。
【図面の簡単な説明】
【図１】本発明にかかるドレイン受皿保持装置の施工状態を示す縦断側面図である。
【図２】仮固定装置を備えた打込型縦引き排水用ルーフドレインの平面図である。
【図３】ドレイン受皿保持装置の施工状態の一部切欠正面図である。
【図４】支持部材の分解図である。
【図５】キャップ体の取付手段を示し、イは螺入式、ロは嵌入式のボス部を備えたキャップ体の縦断面図である。
【図６】他の構成からなるドレイン受皿保持装置の施工状態を示す一部切欠正面図である。
【図７】他の構成からなる支持部材を備えたドレイン受皿保持装置の施工状態を示す縦断側面図である。
【図８】従来構成を示す縦断側面図である。
【図９】従来構成の問題点を示す縦断側面図である。
【図１０】従来構成を示す一部切欠正面図である。
【符号の説明】
１  打込型縦引き排水用ルーフドレイン
２  ドレイン本体
３  ドレイン受皿
４  排水管部
５  突出皿部
６  コンクリート型枠
１６  ドレイン受皿保持装置
１７  支持部材
１８  螺子杆
１９  雌螺子孔
２０  螺子筒
２１  キャップ体
２２  フランジ部
２３  ボス部
【図１】
0003920617.tif 000002
【図２】
0003920617.tif 000003
【図３】
0003920617.tif 000004
【図４】
0003920617.tif 000005
【図５】
0003920617.tif 000006
【図６】
0003920617.tif 000007
【図７】
0003920617.tif 000008
【図８】
0003920617.tif 000009
【図９】
0003920617.tif 000010
【図１０】
0003920617.tif 000011